(57)【要約】【課題】アクセサリを様々な対象物に取付け可能とするアクセサリ保持具を提供する。【解決手段】本発明のアクセサリ保持具１はアクセサリを保持する保持体２と、保持体２に設けられた複数のスリット部３と、保持体２に設けられた孔部４と、保持体２の両端部を係合させる係合部５ａ，５ｂと、保持体２の一端に設けられた舌片６とを主に具備し、保持体２にアクセサリを保持させ、スリット部３に挿通させた係止具又は保持体２の両端部を係合させて形成したループによって対象物に取付けられる。【選択図】      図１
2006262952.tif 000002
【特許請求の範囲】
【請求項１】
アクセサリを保持する保持体と、
該保持体に設けられた複数のスリット部と
を具備することを特徴とするアクセサリ保持具。
【請求項２】
前記保持体に設けられた孔部を更に具備することを特徴とする請求項１に記載のアクセサリ保持具。
【請求項３】
前記保持体は帯状に形成されたものであり、
該保持体の両端部を係合させる係合部を更に具備する
ことを特徴とする請求項１又は請求項２に記載のアクセサリ保持具。
【請求項４】
前記保持体の一端に設けられた舌片を更に具備することを特徴とする請求項３に記載のアクセサリ保持具。
【発明の詳細な説明】
【技術分野】
【０００１】
本発明は、衣装、身体等を装飾するアクセサリを保持するアクセサリ保持具に関するものである。
【背景技術】
【０００２】
従来から、衣装や身体等を装飾するために、コサージュ、ブローチ、バッジ、カフスボタン、ピアス等の様々なアクセサリが使用されている。これらのアクセサリには、衣装や身体等に係止するために、それぞれ特有の係止部材が設けられている。例えば、ブローチ、コサージュ、バッジでは安全ピン、針先を回転式の係止部材で係止する回転ピン、針の先端を別体のキャップで係止する刺しピン等が使用され、カフスボタンでは回動可能な棒状のストッパ部材が、ピアスでは先端が鋭利ではないピアス芯と別体の止め具が使用されている。
【０００３】
上記の従来技術は、公然に実施されているものであり、出願人は、この従来技術が記載された文献を、本願出願時においては知見していない。
【発明の開示】
【発明が解決しようとする課題】
【０００４】
しかしながら、従来のアクセサリは、それぞれが特有の係止部材を有するために、取付けられる対象物が限られた。例えば、コサージュを取付ける対象物は、安全ピン等の針状部材が挿通可能なものに限られた。また、カフスボタンやピアス等のアクセサリは、予め孔部が形成された場所にしか取り付けることができなかった。従って、コサージュやピアスを髪飾りとして使用したり、ブローチやバッジを厚手の素材のバッグに取付けることは困難であった。加えて、コサージュやブローチ等の安全ピンを取付けられる対象物であっても、ピンを刺して孔を開けたくはない場合もあった。従って、従来のアクセサリでは、気に入りのアクセサリをいろいろな対象物に取付けて楽しみたいという要望に対応することができなかった。
【０００５】
そこで、本発明は、上記実情に鑑み、アクセサリを様々な対象物に取付け可能とするアクセサリ保持具を提供することを課題とするものである。
【課題を解決するための手段】
【０００６】
上記の課題を解決するため、本発明にかかるアクセサリ保持具は、「アクセサリを保持する保持体と、該保持体に設けられた複数のスリット部と」を主に具備して構成されている。
【０００７】
ここで、保持体に保持されるアクセサリは特に限定されない。例えば、安全ピンを有するコサージュ、ブローチや刺しピンを有するピンブローチ等は、その針状の部材によって保持体に係止され保持される。また、クリップ状の係止部材を有するバッジ等のアクセサリは、そのクリップで保持体を挟着することにより、保持体に係止され保持される。また、面ファスナーや接着テープ等を利用して、アクセサリを保持体に取付けることとしてもよい。
【０００８】
そして、スリット部は、アクセサリを取付ける対象物にアクセサリ保持具を係止するための係止具を挿通させるものである。このようにスリット状に形成されることにより、様々な幅を有する種々の係止具を挿通させることができる。この係止具としては、コンコルドピン、Ｕ字ピン、パッチン止め等の各種ヘアピン、髪止め用コーム、衣服の襟やポケット等に係止可能なクリップ等を例示することができる。
【０００９】
また、スリット部は、少なくとも２つ設けられていれば、係止具を挿通させることが可能である。さらに多く設けられていれば、歯数の多いコームや長いヘアピン等を使用する場合に、スリット部に挿通させた状態がより安定し、アクセサリ保持具を安定して対象物に係止させることが可能となる。
【００１０】
さらに、スリット部は、アクセサリ保持具を対象物に係止させるための係止具のみならず、アクセサリの一部を挿通することにより、アクセサリを保持体に保持させるために使用することもできる。
【００１１】
従って、本発明のアクセサリ保持具によれば、アクセサリを保持体に取付けて保持させ、保持体のスリット部に、アクセサリを使用する対象物にアクセサリ保持具を係止するための係止具を挿通させることにより、直接にはアクセサリを取付けることが困難である対象物に、アクセサリ保持具を介してアクセサリを取付けることが可能となる。また、保持体のスリット部に挿通させる係止具は着脱自在に交換できるため、いろいろな対象物にアクセサリ保持具を係止させることができ、アクセサリ保持具を介していろいろな対象物にアクセサリを取付けることが可能となる。
【００１２】
また、本発明にかかるアクセサリ保持具は、上記構成に加え、「前記保持体に設けられた孔部」を具備するものとすることができる。
【００１３】
ここで、孔部には、アクセサリの有する針状や棒状の係止部材を挿通させることができる。これにより、ピアスやカフスボタンのように、対象物に孔部が形成されていなければ取付けることができないアクセサリも、保持体に取付けて保持させることが可能となる。また、針状の係止部材を有するアクセサリは、かかる孔部が設けられていなくても、上記のようにそのまま保持体に取付けることが可能ではあるが、予め保持体に孔部が形成されていることにより、保持体に取付けたり交換する操作がより容易となる。加えて、アクセサリの針状部材を挿通させにくい素材で、保持体を形成することも可能となる。
【００１４】
また、スリット部に加えて孔部が形成されることにより、アクセサリを保持体に保持させるに当たり、孔部とスリット部を組合わせて使用することが可能となる。例えば、コサージュやブローチは、その取付け角度により雰囲気や印象が大きく異なることが多いが、孔部及びスリット部の両方を使用してこれらのアクセサリを取付けることにより、取付け角度を変化させることができる。
【００１５】
なお、孔部は、安全ピン等を挿通可能とするために、少なくとも２つ設けられていることが望ましいが、さらに、より多くの孔部を設けるものとすることもできる。
【００１６】
従って、本発明のアクセサリ保持具によれば、保持体に設けられた孔部を利用することにより、針状や棒状の係止部材を有するアクセサリを、保持体に保持させることが容易となる。また、予め孔部が形成されている場所にしか取付けられないアクセサリも、保持体に保持させることが可能となる。これにより、多様なアクセサリを、アクセサリ保持具を介して、いろいろな対象物に取付けることが可能となる。
【００１７】
また、孔部を利用して、針状や棒状の係止部材を有するアクセサリを容易に取付けたり取り外すことができるため、アクセサリ保持具を対象物に係止した状態で、着脱自在にアクセサリを交換して楽しむことも可能となる。
【００１８】
さらに、本発明にかかるアクセサリ保持具は、上記構成に加え、「前記保持体は帯状に形成され、該保持体の両端部を係合させる係合部を」具備するものとすることもできる。
【００１９】
ここで、係合部は、保持体の両端部を係合させるものであれば、その構成は特に限定されず、保持体の一端と他端にそれぞれ雌雄のスナップ、鉤状フックとその係止環、ボタンとボタン孔を設けたもの、保持体の両端にそれぞれ面ファスナーを取付けたもの、保持体の一端に他端を挟着するクリップを取付けたものを例示することができる。
【００２０】
そして、帯状の保持体が係合部を有することにより、アクセサリを保持した保持体をいろいろな対象物に巻き付け、その後に保持体の両端部を係合することにより、アクセサリ保持具を対象物に係止させることが可能となる。すなわち、アクセサリ保持具を介して、アクセサリをバッグやカバンの持ち手、衣服のベルト、髪を縛るゴム輪等に取付けることが可能となる。
【００２１】
また、保持体が帯状とされることにより、アクセサリ自体が有する環状部分に保持体を挿通させ、保持体に保持させることが可能となる。ここで、環状部分を有するアクセサリとしては、指輪、帯留め、イヤリング等が例示される。また、ブローチ等の有する安全ピンも閉じた状態で環状を形成し、ここに保持体を挿通させることができる。
【００２２】
従って、本発明のアクセサリ保持具によれば、アクセサリを保持した保持体を対象物に巻き付けることができるため、アクセサリ保持具を介して、様々なアクセサリをバッグの持ち手や衣服のベルト等のいろいろな対象物に巻き付けて取付けることができる。
【００２３】
加えて、保持体が帯状とされていることにより、環状部分を有するアクセサリを、アクセサリ保持具を介して対象物に取付けることが容易となる。
【００２４】
また、本発明にかかるアクセサリ保持具は、上記構成に加え、「前記保持体の一端に設けられた舌片」を具備するものとすることもできる。
【００２５】
ここで、舌片は、保持体を延長して設けられるものであっても、別体で形成されたものを縫着、接着等により保持体に取付けるものであってもよい。また、大きさは、指先で挟持可能なものであれば足りる。
【００２６】
従って、本発明のアクセサリ保持具によれば、この舌片を指先で挟持して引張ることにより、雌雄のスナップや面ファスナー等による保持体の両端の係合を、解除する操作が容易となる。これにより、対象物から容易にアクセサリ保持具を取り外すことが可能となる。
【発明の効果】
【００２７】
以上のように、本発明のアクセサリ保持具によれば、多様なアクセサリを、アクセサリ保持具を介して様々な対象物に取付けることが可能となる。
【発明を実施するための最良の形態】
【００２８】
以下、本発明の一実施形態であるアクセサリ保持具１について、図１及び図２に基づいて説明する。ここで、図１は本実施形態のアクセサリ保持具１を示す斜視図であり、図２は図１のアクセサリ保持具１の使用例を模式的に示す説明図である。
【００２９】
本実施形態のアクセサリ保持具１は、アクセサリを保持する保持体２と、保持体２に設けられたスリット部３と、保持体２に設けられた孔部４と、保持体２の両端部を係合させる係合部５ａ，５ｂと、保持体２の一端に設けられた舌片６とによって主に構成されている。
【００３０】
更に詳細に説明すると、保持体２は天然皮革又は合成皮革素材を用いて、幅１〜３ｃｍ、長さ５〜１０ｃｍの両端が丸みを帯びた帯状に形成されている。そして、保持体２の両端部にそれぞれ係合部５ａ，５ｂが設けられ、これらの係合により保持体２がループ状に形成される。なお、本実施形態においては、係合部５ａ，５ｂは保持体２において同一面に設けられているため、これらの係合により保持体２が形成するループは、図１（ｂ）に示されるように平坦に近くなり、アクセサリの浮き上がりが防止される。また、本実施形態では、係合部として雌雄のスナップを使用しているが、上記のように、面ファスナー等も使用可能である。
【００３１】
なお、保持体２を形成する素材は、スリット部３に係止具を着脱可能とするためにある程度変形し、かつアクセサリの重さによって撓むことがないようある程度の強度を有するものであれば特に限定されない。本実施形態で使用した皮革は、スリット部３を形成するために切開した後の切口の処理が不要で、係止具の着脱の繰返しにも耐性を有するため好適である。
【００３２】
また、スリット部３は、保持体２のほぼ中央に３本設けられており、それぞれのスリットの一端は、コーム等の厚みのある係止具を挿入し易くするため、スリット幅を拡げて円形に形成されている。ここで、スリットの数は、上記のように、少なくとも２本あれば係止具を挿通可能であるが、３本以上あれば係止具によるアクセサリ保持具１の支持がより安定する。特に、歯数の多いコームや長いヘアピン等を使用する場合は、スリットの数は３本以上であることが望ましい。
【００３３】
さらに、孔部４は、保持体２の一端のスナップ５ｂ付近に同径のものが２個設けられている。これにより、皮革製の保持体２に挿通させにくい安全ピンや刺しピン等の針状部材を有するコサージュ等のアクセサリや、予め孔部が形成されている場所にのみ取付けることのできる棒状の係止部材を有するピアス等のアクセサリを、保持体２に取付けることが可能となる。
【００３４】
また、上記のように、スリット部３が保持体２の中央付近に、孔部４が保持体２の端部付近に設けられていることにより、アクセサリ保持具１を対象物に係止する係止具と、保持体２に取付けられたアクセサリとの位置関係が、保持体２の形成するループにおいて対向することとなる。これにより、アクセサリ保持具１において係止具とアクセサリとの平衡がとりやすく、アクセサリ保持具１を介した対象物へのアクセサリの取付けが安定する。
【００３５】
さらに、舌片６は、保持体２の一端に保持体２を延長して、指先で挟持可能な大きさ（幅２〜１０ｍｍ、長さ０．５〜２ｃｍ）に形成されている。本実施形態では、保持体２が皮革製であるため、保持体２を延長してかかる舌片６を容易に形成することができる。仮に、布等の素材で保持体２を形成するときは、上記のように舌片６を別体で形成し、縫着等により保持体２に取付けるものとしてもよい。
【００３６】
次に、本実施形態のアクセサリ保持具１の使用例について説明する。まず、保持体２のスリット部３には、各種のヘアピンや、図１（ｃ）に示されるように髪止め用コーム１０を挿通することができる。そして、図２（ａ）に示されるように、保持体２の孔部４にアクセサリ、例えばコサージュ２０の針状部材を挿通させて保持体２にコサージュ２０を保持させ、保持体２に挿通されたコーム１０を髪につける。これにより、アクセサリ保持具１を介してコサージュ２０を髪飾りとして使用することが可能となる。このとき、孔部４は係合部の一方５ｂの近傍に設けられているため、保持体２の両端部を係合してループ状に形成した上で、孔部４にコサージュ２０を取付けることにより、保持体２がコサージュ２０の下に隠れて見ばえのよいものとなる。
【００３７】
また、図２（ｂ）に示すように、ループ状に形成された保持体２に長いヘアピンやクリップ状の係止具、例えばコンコルドピン１１を挿通し、この係止具を髪に留めることにより、保持体２に保持されたアクセサリ、例えばコサージュ２０を髪飾りとして使用することができる。また、このクリップ状の係止具を胸ポケットに挿せば、衣服に安全ピンを刺して孔を開けたくない場合であっても、コサージュ２０等のアクセサリを胸に飾ることができる。
【００３８】
さらに、図２（ｃ）に示すように、保持体２にアクセサリを取付け、保持体２の両端部を係合させる前に、髪を縛るゴム輪１２に保持体２を挿通させ、その後に保持体２の両端部を係合させてループ状に形成する。これにより、アクセサリ保持具１を介してアクセサリを髪飾りとして使用することが可能となる。なお、本例では、ゴム輪１２へのアクセサリ保持具１の取付け状態を明示するために、アクセサリの図示は省略している。
【００３９】
また、図２（ｄ）に示すように、保持体２を衣服のベルト１３に巻き付けて使用することもできる。これにより、ベルトに挿通できるような環状部分を有さないアクセサリを、ベルト１３の飾りとして使用することができる。また、コサージュやブローチを、衣服に孔を開けることなく、衣服の飾りとして使用することも可能となる。なお、本例においても、アクセサリの図示は省略している。
【００４０】
さらに、図２（ｅ）に示すように、保持体２をバッグの持ち手１４に巻き付けて使用することもできる。これにより、従来バッグに取付けられる飾りは、専用のストラップやホルダーを有するアクセサリに限られたのに対し、気に入りのアクセサリを自由にバッグの飾りとして使用することができる。また、ブローチやバッグ等の針状の係止部材を有するアクセサリを、バッグに孔を開けることなく取付けることが可能となる。なお、本例においても、アクセサリの図示は省略している。
【００４１】
加えて、保持体２が形成するループは、アクセサリを取付けるためにも利用できる。例えば、指輪や帯留め等のアクセサリの有する環状部分に保持体２を挿通し、その後に保持体２の両端部を係合させ、上記のように対象物に取付けることにより、指輪や帯留め等のアクセサリを髪飾りやバッグの飾り等として使用することが可能となる。
【００４２】
また、アクセサリ保持具１へのアクセサリの着脱は、保持体２に設けられた孔部４を利用して容易に行うことができるため、アクセサリ保持具１を対象物に取付けた状態においても、着脱自在にアクセサリを交換して楽しむことができる。
【００４３】
そして、アクセサリの使用後に、アクセサリ保持具１を対象物から取り外す場合には、保持体２の一端に設けられた舌片６を指先で摘み、持上げるように引張ることにより、保持体２の両端を係合させた係合部５ａ，５ｂの係合が容易に解除され、アクセサリ保持具１を容易に対象物から取り外すことができる。
【００４４】
上記に説明したように、本実施形態のアクセサリ保持具１によれば、コサージュを髪に付ける場合等、直接にはアクセサリを取付けることが困難である対象物に、アクセサリ保持具１を介して様々なアクセサリを取付けることが可能となる。
【００４５】
また、保持体２に設けられた孔部４を利用して、アクセサリを容易に保持体２に保持させることができる。加えて、アクセサリ保持具１を対象物に係止させた状態においても、アクセサリを着脱自在に交換することが可能となる。
【００４６】
さらに、保持体２の両端部を係合させてループ状に形成することにより、保持体２をバッグの持ち手や衣服のベルト等のいろいろな対象物に巻き付けて係止させることが可能となる。これにより、アクセサリ保持具１を介してアクセサリを取付けることができる対象物が多様なものとなる。
【００４７】
加えて、保持体２が帯状とされていることにより、環状部分を有するアクセサリをアクセサリ保持具１に保持させることが可能となる。これにより、アクセサリ保持具１に保持させることのできるアクセサリの選択の幅が拡がることとなる。
【００４８】
また、保持体２の端部に設けられた舌片６により、保持体２の両端の係合を解除する操作が容易となり、対象物からのアクセサリ保持具１の取り外しが容易なものとなる。
【００４９】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００５０】
例えば、本実施形態では、孔部は２個設けられているものを示したが、より多くの孔部を設けることとしてもよい。例えば、複数の孔部を放射状又はマトリックス状に設けることにより、アクセサリの取付け角度を様々に変化させ、微調整可能なものとすることもできる。
【００５１】
加えて、本実施形態では同じ径の孔部を設けた場合を示したが、径の相違する孔部を設けることとしてもよい。例えば、安全ピンや刺しピンの針状部材、ピアス芯、カフスボタンの棒状部材等では、挿通可能な孔の径が相違する。従って、径の相違する複数の孔部を設けることにより、保持体に保持させることが可能なアクセサリが多様なものとなる。また、径の比較的大きな孔部を設けることにより、造花や生花、リボン等、既成のアクセサリではないものを孔部に挿通し、アクセサリとして使用することも可能となる。
【００５２】
また、スリット部には、コームやヘアピン等、アクセサリ保持具を対象物に係止するための係止具を挿通する場合を示したが、これと同時に、アクセサリをもスリット部に挿通することもできる。例えば、スリット部にコームを挿通した後、スリット部の余剰の間隙を利用して造花や生花の茎を挿通し、髪飾りとして使用することもできる。
【００５３】
また、保持体のサイズは、本実施形態で示したものに限定されない。特に、保持体の長さは、保持体を巻き付ける対象物によって必要な長さが異なるため、長めに設定しておき、係合部の係合位置により長さを調整可能なものとしてもよい。例えば、保持体の一端において、雌スナップを保持体の長手方向に複数設け、他端に設けた雄スナップをいずれか一つの雌スナップに係合させることにより、保持体の長さを調整可能とするものが例示される。また、面ファスナーを保持体の長手方向にある程度の長さ設けることにより、係合位置を調整可能なものとしてもよい。なお、このように係合部の係合位置の調整により保持体の長さを調整する場合は、本実施形態で示したように一対の係合部を保持体の同一面に設けるのではなく、一対の係合部の一方を保持体の表面に、他方を保持体の裏面に設けるとよい。このようにすることにより、余分な長さ分の保持体は保持体が形成するループの中に巻き込まれることとなり、アクセサリの下から保持体の余剰部分が露出することなく、見ばえのよいものとなる。このとき、舌片は、保持体において、ループの中に巻き込まれることとなる端部ではない方の端部に設けることとなる。
【００５４】
なお、上記のように、アクセサリ保持具はアクセサリの下に「隠す」ものとしてもよいし、アクセサリ保持具自体を敢えて「見せる」ものとすることもできる。この場合、保持体の素材や色等を変化させたアクセサリ保持具を各種用意し、取付けるアクセサリに似合うアクセサリ保持具を適宜選択し、アクセサリ保持具をもアクセサリの一部として楽しむことも可能である。
【図面の簡単な説明】
【００５５】
【図１】本発明の一実施形態であるアクセサリ保持具を示す斜視図である。
【図２】図１のアクセサリ保持具の使用例を模式的に示す説明図である。
【符号の説明】
【００５６】
１    アクセサリ保持具
２    保持体
３    スリット部
４    孔部
５ａ  係合部（スナップ）
５ｂ  係合部（スナップ）
６    舌片
【図１】
2006262952.tif 000003
【図２】
2006262952.tif 000004